(57)【特許請求の範囲】
【請求項１】
１つの住戸内に設けたセキュリティセンサ（２４）及び端末送受器（２２）を収容したインターホン端末（１０）と、ケアセンサ（３５）、天井スピーカ（３２）及び天井マイク（３３）を収容したケア端末（１１）とを含む複数の居室機（１ａ、１ｂ、‥‥）を制御機（４）を介して集合玄関機（３）及び管理室送受器（４２）を収容した管理室親機（２）に接続し、前記居室機のインターホン端末の端末送受器、前記集合玄関機及び前記管理室親機の管理室送受器間で通話ができ、前記セキュリティセンサが作動したとき前記居室機で警報音が鳴動するとともに、前記管理室親機で警報音が鳴動し、該当する居室番号と警報の種類が表示され、前記ケアセンサが作動したとき前記ケア端末及び前記天井スピーカから警報音が鳴動するとともに、前記管理室親機で警報音が鳴動し、該当する居室番号と警報の種類が表示され、前記天井スピーカ、前記天井マイクと通話ができる集合住宅インターホン装置であって、
前記居室機の前記インターホン端末及び前記ケア端末は、同一住戸内の各端末の端末番号を別々の番号に設定するインターホン端末設定器（２５）及びケア端末設定器（３６）をそれぞれ備え、
前記制御機は、別々の番号に設定された同一住戸内の各端末の端末番号を端末番号テーブル（５１ａ）に記憶し端末番号の何番と何番が何号室の住戸の端末であるかを照合するためのメモリ（５１）と、同一住戸内の端末について前記制御機に入力される端末番号は違うが同一住戸として制御する制御回路（５０）とを備え、
前記インターホン端末設定器及び前記ケア端末設定器は、それぞれビットスイッチで構成され、設定操作時には同一住戸内の各端末の前記インターホン端末設定器及び前記ケア端末設定器の端末番号を外見上同一番号に設定しても前記制御機の前記制御回路で読み出されるときは前記インターホン端末設定器及び前記ケア端末設定器が別々の番号として認識されるように前記インターホン端末設定器及び前記ケア端末設定器の一方の所定のビットスイッチがオン、オフ構成されていることを特徴とする集合住宅インターホン装置。
【発明の詳細な説明】
【０００１】
【発明の属する技術分野】
【０００２】
本発明は集合住宅インターホン装置に係わり、特に各設定器をハード的に異なる回路のビットスイッチで構成し、設定される端末番号の電気的特性に相違を持たせることにより、同一な操作にて異なる端末番号を設定する集合住宅インターホン装置に関する。
【従来の技術】
【０００３】
従来から、この種の集合住宅インターホン装置として、図５のブロック図に示す構成の集合住宅インターホン装置が提案されている。
【０００４】
同図に示す集合住宅インターホン装置には、制御回路（以下、インターホンＣＰＵと称す）６０、通話回路６１、マイク及びレシーバからなる端末送受器６２、拡声スピーカ６３、火災感知器及びガス漏れ警報器からなるセキュリティセンサ６４、当該端末の端末番号を設定するために操作される設定器６５、設定器６５の操作により設定された端末番号を記憶するメモリ６６、通信インターフェース（以下、通信I/Fと称す）６７が備えられたインターホン端末１１０と、制御回路（以下、ケアＣＰＵ）７０、通話回路７１、天井スピーカ７２、天井マイク７３、拡声スピーカ７４、水量センサ及び静止センサからなるケアセンサ７５、上述のインターホン端末１１０の設定器６５にて設定される端末番号とは異なる端末番号を設定するために操作される設定器７６、設定器７６の操作により設定された端末番号を記憶するメモリ７７、通信I/F７８が備えられたケア端末１１１とを有し集合住宅の複数の住戸内にそれぞれ設置される居室機１０１ａ、１０１ｂ、‥‥と、複数の居室機１０１ａ、１０１ｂ、‥‥をなすインターホン端末１１０、ケア端末１１１に制御伝送ライン、音声伝送ラインからなる幹線Ｌ101を介して接続され、各設定器６５、７６にて設定される端末番号をそれぞれ記憶し、記憶された端末番号の何番と何番が何号室の住戸の端末であるかを照合し、同一住戸内の端末については端末番号は違うが同一住戸として処理する機能を備えた制御機１０４と、住戸内の居住者への呼出機能及び通話機能、呼び出した住戸内の居住者からの呼出報知機能及び通話機能、非常事態の住戸を報知する警報報知機能をそれぞれ備え管理室内に設置される管理室親機１０２と、住戸内の居住者への呼出機能及び通話機能を備え集合住宅の玄関（以下、集合玄関と称す）に設置される集合玄関機１０３とで構成されている。また、管理室親機１０２、集合玄関機１０３は、制御伝送ライン、音声伝送ラインからなる幹線Ｌ102、Ｌ103をそれぞれ介して制御機１０４に接続されている。尚、各居室機１０１ａ、１０１ｂ、‥‥がそれぞれ設置された住戸の居室番号は、「２０３」号室、「２０４」号室、‥‥に予め割り当てられているものとする。
【０００５】
また、複数の居室機１０１ａ、１０１ｂ、‥‥をなすインターホン端末１１０、ケア端末１１１にそれぞれ備えられた設定器６５、７６は同様な構成であり、当該端末番号の上桁（１〜１５）と下桁（１〜１５）とを個別に設定する上桁設定部ＳＷ101、下桁設定部ＳＷ102からなる図６（ａ）の模式図、図６（ｂ）の回路図に示すようなビットスイッチ（初期設定状態）で構成される。この上桁設定部ＳＷ101、下桁設定部ＳＷ102は、オンされることにより２0、２1、２2、２3の数字が割り当てられる４つのスイッチＳＷ111〜ＳＷ114、ＳＷ121〜ＳＷ124からなり、割り当てられた数字の加算（上桁、下桁）により当該端末番号が決定される。
【０００６】
このように構成された集合住宅インターホン装置において、居室機１０１ａをなすインターホン端末１１０の端末番号を、第１の端末番号Ｓ101である「２０３」に設定するためには、図６（ａ）、（ｂ）に示す設定器６５をなすビットスイッチの上桁設定部ＳＷ101のスイッチＳＷ112、下桁設定部ＳＷ102のスイッチＳＷ121、ＳＷ122をそれぞれ操作してオンさせる。これにより、当該端末番号の上桁である「０２」、下桁である「０３」がそれぞれ割り当てられ第１の端末番号Ｓ101である「２０３」の設定が完了する。同様に居室機１０１ａをなすケア端末１１１の端末番号を、第２の端末番号Ｓ102である「１２０３」に設定するためには、図６（ａ）、（ｂ）に示す設定器７６をなすビットスイッチの上桁設定部ＳＷ101のスイッチＳＷ113、ＳＷ114、下桁設定部ＳＷ101のスイッチＳＷ121、ＳＷ122をそれぞれ操作してオンさせる。これにより、当該端末番号の上桁である「１２」、下桁である「０３」がそれぞれ割り当てられ、第２の端末番号Ｓ102である「１２０３」の設定が完了する。また、上述の第１、第２の端末番号Ｓ101、Ｓ102は、インターホンＣＰＵ６０、ケアＣＰＵ７０をそれぞれ介してメモリ６６、７７にそれぞれ記憶されるとともに、各通信I/F６７、７８から幹線Ｌ101を介して制御機１０４のメモリ内の端末番号テーブル（図示せず）に記憶される。
【発明が解決しようとする課題】
【０００７】
しかしながら、従来の集合住宅インターホン装置は上述のように構成されているので、集合住宅の複数の住戸内に設置される居室機をなすインターホン端末及びケア端末は、同一住戸内に設けられているのにもかかわらず、各設定器を操作して異なる端末番号を設定せねばならず、誤設定しやすい難点があった。
【０００８】
本発明は上述の難点を解消するためになされたもので、集合住宅の複数の住戸内に設置される居室機をなすインターホン端末及びケア端末に備えられる各設定器をハード的に異なる回路のビットスイッチで構成し、設定される端末番号の電気的特性に相違を持たせることにより、同一な操作にて異なる端末番号を設定することができる集合住宅インターホン装置を提供することを目的とする。
【課題を解決するための手段】
【０００９】
このような目的を達成するため、本発明による集合住宅インターホン装置は、１つの住戸内に設けたセキュリティセンサ及び端末送受器を収容したインターホン端末と、ケアセンサ、天井スピーカ及び天井マイクを収容したケア端末とを含む複数の居室機を制御機を介して集合玄関機及び管理室送受器を収容した管理室親機に接続し、居室機のインターホン端末の端末送受器、集合玄関機及び管理室親機の管理室送受器間で通話ができ、セキュリティセンサが作動したとき居室機で警報音が鳴動するとともに、管理室親機で警報音が鳴動し、該当する居室番号と警報の種類が表示され、ケアセンサが作動したときケア端末及び天井スピーカから警報音が鳴動するとともに、管理室親機で警報音が鳴動し、該当する居室番号と警報の種類が表示され、天井スピーカ、天井マイクと通話ができる集合住宅インターホン装置であって、居室機のインターホン端末及びケア端末は、同一住戸内の各端末の端末番号を別々の番号に設定するインターホン端末設定器及びケア端末設定器をそれぞれ備え、制御機は、別々の番号に設定された同一住戸内の各端末の端末番号を端末番号テーブルに記憶し端末番号の何番と何番が何号室の住戸の端末であるかを照合するためのメモリと、同一住戸内の端末について制御機に入力される端末番号は違うが同一住戸として制御する制御回路とを備え、インターホン端末設定器及びケア端末設定器は、それぞれビットスイッチで構成され、設定作業時には同一住戸内の各端末のインターホン端末設定器及びケア端末設定器の端末番号を外見上同一番号に設定しても制御機の制御回路で読み出されるときはインターホン端末設定器及びケア端末設定器が別々の番号として認識されるようにインターホン端末設定器及びケア端末設定器の一方の所定のビットスイッチがオン、オフ構成されているものである。
【００１０】
このような集合住宅インターホン装置によれば、集合住宅の複数の住戸内に設置される居室機をなすインターホン端末及びケア端末に備えられるインターホン端末設定器、ケア端末設定器をハード的に異なる回路のビットスイッチで構成し、設定される端末番号の電気的特性に相違を持たせるとともに、制御機に同一住戸内の端末については端末番号は違うが同一住戸として制御する機能を備えることにより、各設定器の同一な操作にて異なる端末番号を設定することができる。
【発明の実施の形態】
【００１１】
以下、本発明による集合住宅インターホン装置を適用した好ましい形態の一実施例について、図面を参照して説明する。
【００１２】
図１は本発明による集合住宅インターホン装置の一実施例の構成を示すブロック図であり、集合住宅の複数の住戸内、ここでは「２０３」号室、「２０４」号室、‥‥にそれぞれ設置される居室機１ａ、１ｂ、‥‥と、管理室内に設置される管理室親機２と、集合玄関に設置される集合玄関機３と、制御機４とで構成されている。また、複数の居室機１ａ、１ｂ、‥‥と制御機４は制御伝送ラインＬ1a、音声伝送ラインＬ1bからなる単一系統の幹線Ｌ1により、管理室親機２と制御機４は制御伝送ラインＬ2a、音声伝送ラインＬ2bからなる幹線Ｌ2により、集合玄関機３と制御機４は制御伝送ラインＬ3a、音声伝送ラインＬ3bからなる幹線Ｌ3によりそれぞれ接続されている。
【００１３】
複数の居室機１ａ、１ｂ、‥‥はそれぞれ同様な構成であり、インターホンＣＰＵ２０、マイク及びレシーバからなる端末送受器２２が接続されインターホンＣＰＵ２０の制御により幹線Ｌ1をなす音声伝送ラインＬ1bとの通話路（信号伝送路）を形成する通話回路２１、インターホンＣＰＵ２０の制御により呼出音や警報音を鳴動する拡声スピーカ２３、火災感知器２４ａ及びガス漏れ警報器２４ｂからなるセキュリティセンサ２４、当該端末の端末番号を設定するために操作されるインターホン端末設定器２５、インターホン端末設定器２５の操作により設定された端末番号を記憶するメモリ２６、幹線Ｌ1をなす制御伝送ラインＬ1aとインターホンＣＰＵ２０との信号伝送路を形成する通信I/F２７が備えられたインターホン端末１０と、ケアＣＰＵ３０、天井スピーカ３２及び天井マイク３３が接続されケアＣＰＵ３０の制御により幹線Ｌ1をなす音声伝送ラインＬ1bとの通話路（信号伝送路）を形成する通話回路３１、ケアＣＰＵ３０の制御により警報音を鳴動する拡声スピーカ３４、水量センサ３５ａ及び静止センサ３５ｂからなるケアセンサ３５、上述のインターホン端末１０のインターホン端末設定器２５にて設定される端末番号とは異なる端末番号を設定するために操作されるケア端末設定器３６、ケア端末設定器３６の操作により設定された端末番号を記憶するメモリ３７、幹線Ｌ1をなす制御伝送ラインＬ1aとケアＣＰＵ３０との信号伝送路を形成する通信I/F３８が備えられたケア端末１１とで構成されている。
【００１４】
管理室親機２には、管理室ＣＰＵ４０、管理室送受器４２が接続され管理室ＣＰＵ４０の制御により幹線Ｌ2をなす音声伝送ラインＬ2bとの通話路（信号伝送路）を形成する通話回路４１、管理室ＣＰＵ４０の制御により呼出音や警報音を鳴動する拡声スピーカ４３、呼び出し及び非常事態の住戸の居室番号や警報の情報をそれぞれ出力表示する表示器４４、幹線Ｌ2をなす制御伝送ラインＬ2aと管理室ＣＰＵ４０との信号伝送路を形成する通信I/F４５が備えられている。
【００１５】
制御機４には、同一住戸内の居室機に備えられる端末（インターホン端末、ケア端末）については端末番号は違うが同一の住戸として制御する制御機ＣＰＵ５０、別々の番号に設定された端末番号を端末番号テーブル５１ａに記憶し端末番号の何番と何番が何号室の住戸の端末であるかを照合するメモリ５１、制御機ＣＰＵ５０の制御により集合玄関機３に接続される幹線Ｌ3をなす音声伝送ラインＬ3b、または管理室親機２の通話回路４１に接続される幹線Ｌ2をなす音声伝送ラインＬ2bと、幹線Ｌ1をなす音声伝送ラインＬ1b間の通話路（信号伝送路）を形成する通話回路５２、幹線Ｌ1をなす制御伝送ラインＬ1a、幹線Ｌ2をなす制御伝送ラインＬ2a、幹線Ｌ3をなす制御伝送ラインＬ3aと制御機ＣＰＵ５０との信号伝送路をそれぞれ形成する通信I/F５３、５４、５５が備えられている。
【００１６】
また、複数の居室機１ａ、１ｂ、‥‥をなすインターホン端末１０、ケア端末１１にそれぞれ備えられたインターホン端末設定器２５、ケア端末設定器３６は図２（ａ）の模式図に示すように外見上同一な構成であり、当該端末番号の上桁（１〜１５）と下桁（１〜１５）とを個別に設定する上桁設定部ＳＷ1、ＳＷ51及び下桁設定部ＳＷ2、ＳＷ52からなるビットスイッチ（初期設定状態）で構成される。この上桁設定部ＳＷ1、ＳＷ51及び下桁設定部ＳＷ2、ＳＷ52は、オンされることにより２0、２1、２2、２3の数字がそれぞれ割り当てられる４つのスイッチＳＷ11〜ＳＷ14、ＳＷ61〜ＳＷ64、及びＳＷ21〜ＳＷ24、ＳＷ71〜ＳＷ74からなり、割り当てられた数字の加算（上桁、下桁）により当該端末番号が決定される。一方、図２（ｃ）の回路図に示すように、初期設定状態におけるケア端末設定器３６をなすビットスイッチの上桁設定部ＳＷ51の最上位であるスイッチＳＷ64は常時オンされるよう両端間が短絡（ショート）され、図２（ｂ）の回路図に示す初期設定状態におけるインターホン端末設定器２５をなすビットスイッチとは電気的特性が異なるよう構成されている。
【００１７】
このように構成された集合住宅インターホン装置において、先ず、居室機１ａをなすインターホン端末１０、ケア端末１１の各端末番号の設定方法について説明する。
【００１８】
「２０３」号室の住戸内の居住者が、居室機１ａをなすインターホン端末１０の端末番号をインターホン端末設定器２５を用いて「２０３」に設定するためには、図３（ａ）の模式図、図３（ｂ）の回路図に示す上桁設定部ＳＷ1のスイッチＳＷ12、下桁設定部ＳＷ2のスイッチＳＷ21、ＳＷ22をそれぞれ操作してオンさせる。これにより、当該端末番号の上桁である「０２」、下桁である「０３」がそれぞれ割り当てられ、第１の端末番号Ｓ1である「２０３」の設定が完了する。同様に、居室機１ａをなすケア端末１１の端末番号をケア端末設定器３６を用いて「２０３」に設定するためには、図３（ａ）、（ｃ）に示す上桁設定部ＳＷ51のスイッチＳＷ62、下桁設定部ＳＷ52のスイッチＳＷ71、ＳＷ72をそれぞれ操作してオンさせる。これにより、外見上は端末番号である「２０３」の設定は完了するが、電気的特性において当該端末番号の上桁は「１０」、下桁は「０３」がそれぞれ割り当てられ第２の端末番号Ｓ2である「１００３」として設定される。また、上述の第１、第２の端末番号Ｓ1、Ｓ2は、インターホンＣＰＵ２０、ケアＣＰＵ３０をそれぞれ介してメモり２６、３７にそれぞれ記憶されるとともに、各通信I/F２７、３８から幹線Ｌ1をなす制御伝送ラインＬ1a、制御機４の通信I/F５３、制御機ＣＰＵ５０を介してメモリ５１内に図４の模式図に示すような端末番号テーブル５１ａとして記憶される。更に、その他の居室機１ｂ、‥‥についても居住者による同様な設定手段で、インターホン端末、ケア端末の端末番号を異なる番号で設定させることにより、これらの端末番号は制御機４のメモリ５１内の居室番号テーブル５１ａに記憶される（図４参照）。
【００１９】
このように、居室機をなすインターホン端末及びケア端末の端末番号が外見上同一な設定操作により同一な端末番号に設定され、かつ、電気的特性が異なる番号で制御機をなすメモリ内の端末番号テーブルに記憶された集合住宅インターホン装置において、訪問者が集合玄関機３にて「２０３」号室の住戸内の居住者を呼び出すために適宜な呼出操作を行うと、「２０３」の居室番号情報が含有された呼出信号Ｓ11が出力される。この呼出信号Ｓ11は、幹線Ｌ3をなす制御伝送ラインＬ3a、制御機４の通信I/F５５を介して制御機ＣＰＵ５０に入力される。制御機ＣＰＵ５０は入力された呼出信号Ｓ11より訪問者による「２０３」号室の住戸内の居住者への呼び出しを検出し、入力された呼出信号Ｓ11を通信I/F５３から幹線Ｌ1をなす制御伝送ラインＬ1aを介して居室機１ａのインターホン端末１０に伝送させる。インターホン端末１０のインターホンＣＰＵ２０は、通信I/F２７を介して入力された呼出信号Ｓ11より訪問者からの呼び出しを検出し拡声スピーカ２３から呼出音を鳴動させる。これを確認した居住者が端末送受器２２を取り上げ呼出応答すると、インターホンＣＰＵ２０がこれを検出し通話回路２１を能動にするとともに、「２０３」の端末番号情報が含有された呼出応答信号Ｓ12を出力する。この呼出応答信号Ｓ12は、通信I/F２７、幹線Ｌ1をなす制御伝送ラインＬ1a、制御機４の通信I/F５３を介して制御機ＣＰＵ５０に入力される。制御機ＣＰＵ５０は入力された呼出応答信号Ｓ12をなす端末番号情報とメモリ５１内の端末番号テーブル５１ａとを照合し、「２０３」号室の住戸内の居住者からの呼出応答を検出し通話回路５２を幹線Ｌ3をなす音声伝送ラインＬ3bに接続する。これにより、居室機１ａをなすインターホン端末１０の端末送受器２２と、通話回路２１、幹線Ｌ1をなす音声伝送ラインＬ1b、制御機４の通話回路５２、幹線Ｌ3をなす音声伝送ラインＬ3bを介して集合玄関機３間の通話路が形成され通話が成立する。
【００２０】
次に、「２０３」号室の住戸内の居住者が、管理室内の管理人を呼び出すために、居室機１ａをなすインターホン端末１０の端末送受器２２を取り上げ適宜な呼出操作を行うと、インターホンＣＰＵ２０がこれを検出し「２０３」の端末番号情報が含有された呼出信号Ｓ21を出力する。この呼出信号Ｓ21は上述の呼出応答信号Ｓ12と同様な経路を介して制御機４の制御機ＣＰＵ５０に入力される。制御機ＣＰＵ５０は入力された呼出信号Ｓ21をなす端末番号情報とメモリ５１内の端末番号テーブル５１ａとを照合し、「２０３」号室の住戸内の居住者から管理室内の管理人への呼び出しを検出し、入力された呼出信号Ｓ21を通信I/F５４から幹線Ｌ2をなす制御伝送ラインＬ2aを介して管理室親機２に伝送させる。管理室親機２の管理室ＣＰＵ４０は、通信I/F４５を介して入力された呼出信号Ｓ21より「２０３」号室の住戸内の居住者からの呼び出しを検出し拡声スピーカ４３から呼出音を鳴動させるとともに、表示器４４にて居室番号である「２０３」を出力表示させる。これを確認した管理人が管理室送受器４２を取り上げ呼出応答すると、管理室ＣＰＵ４０がこれを検出し通話回路４１を能動にするとともに呼出応答信号Ｓ22を出力する。この呼出応答信号Ｓ22は上述の呼出信号Ｓ21と逆の経路を介して制御機４の制御機ＣＰＵ５０に入力される。制御機ＣＰＵ５０は入力された呼出応答信号Ｓ22より管理室内の管理人による呼出応答を検出し通話回路５２を幹線Ｌ2をなす音声制御ラインＬ2bに接続するとともに、入力された呼出応答信号Ｓ22を通信I/F５３から幹線Ｌ1をなす制御伝送ラインＬ1aを介して居室機１ａをなすインターホン端末１０に伝送させる。インターホン端末１０のインターホンＣＰＵ２０は、通信I/F２７を介して入力された呼出応答信号Ｓ22より管理室内の管理人からの呼出応答を検出し通話回路２１を能動にする。これにより、居室機１ａのインターホン端末１０をなす端末送受器２２と、通話回路２１、幹線Ｌ1をなす音声伝送ラインＬ1b、制御機４の通話回路５２、幹線Ｌ2をなす音声伝送ラインＬ2b、管理室親機２の通話回路４１を介して管理室送受器４２間の通話路が形成され通話が成立する。
【００２１】
一方、管理室内の管理人が「２０３」号室の住戸内の居住者を呼び出すために、管理室親機２の管理室送受器４２を取り上げ適宜な呼出操作を行うと、管理室ＣＰＵ４０がこれを検出し「２０３」の居室番号情報が含有された呼出信号Ｓ31を出力する。この呼出信号Ｓ31は上述の呼出応答信号Ｓ22と同様な経路を介して居室機１ａをなすインターホン端末１０のインターホンＣＰＵ２０に入力される。インターホン端末１０のインターホンＣＰＵ２０は、入力された呼出信号Ｓ31より管理室内の管理人からの呼び出しを検出し拡声スピーカ２３から呼出音を鳴動させる。これを確認した居住者が端末送受器２２を取り上げ呼出応答すると、インターホンＣＰＵ２０がこれを検出し通話回路２１を能動にするとともに、「２０３」の端末番号情報が含有された呼出応答信号Ｓ32を出力する。この呼出応答信号Ｓ32は上述の呼出信号Ｓ21と同様な経路を介して制御機４の制御機ＣＰＵ５０に入力される。制御機ＣＰＵ５０は入力された呼出応答信号Ｓ32をなす端末番号情報とメモリ５１内の端末番号テーブル５１ａとを照合し、「２０３」号室の住戸内の居住者からの呼出応答を検出し通話回路５２を幹線Ｌ2をなす音声伝送ラインＬ2bに接続するとともに、入力された呼出応答信号Ｓ32を通信I/F５４から幹線Ｌ2をなす制御伝送ラインＬ2aを介して管理室親機２に伝送させる。管理室親機２の管理室ＣＰＵ４０は、通信I/F４５を介して入力された呼出応答信号Ｓ32より「２０３」号室の住戸内の居住者による呼出応答を検出し通話回路４１を能動にする。これにより、上述の「２０３」号室の住戸内の居住者から管理室内の管理人への呼出時と同様な通話路が形成され通話が成立する。
【００２２】
次に、「２０３」号室の住戸内で例えば火災が発生すると、居室機１ａをなすインターホン端末１０のセキュリティセンサ２４のうち火災感知器２４ａが作動開始し、これを検出したインターホンＣＰＵ２０の制御により拡声スピーカ２３から警報音が鳴動されるとともに、検出された警報情報と「２０３」の端末番号情報が含有された制御信号Ｓ41が出力される。この制御信号Ｓ41は上述の呼出信号Ｓ21と同様な経路を介して制御機４の制御機ＣＰＵ５０に入力される。制御機ＣＰＵ５０は入力された制御信号Ｓ41をなす端末番号情報とメモリ５１内の端末番号テーブル５１ａとを照合し、「２０３」号室の住戸内で火災が発生したことを検出するとともに、入力された制御信号Ｓ41を通信I/F５４から幹線Ｌ2をなす制御伝送ラインＬ2aを介して管理室親機２に伝送させる。管理室親機２の管理室ＣＰＵ４０は、通信I/F４５を介して入力された制御信号Ｓ41より「２０３」号室の住戸内で火災が発生したことを検出し拡声スピーカ４３から警報音を鳴動させるとともに、表示器４４にて火災発生の警報情報と居室番号である「２０３」とをそれぞれ出力表示させる。
【００２３】
次に、「２０３」号室の住戸内において、所定の時間以上水が使用されなかったり、水漏れ等で所定の時間以上断続して水が流れる（ここでは、水漏れとする）と、居室機１ａをなすケア端末１１のケアセンサ３５のうち水量センサ３５ａが作動開始し、これを検出したケアＣＰＵ３０の制御により拡声スピーカ３４から警報音が鳴動されるとともに、検出された警報情報と「１００３」の端末番号情報が含有された制御信号Ｓ51が出力される。この制御信号Ｓ51は、通信I/F３８、幹線Ｌ1をなす制御伝送ラインＬ1a、制御機４の通信I/F５３を介して制御機ＣＰＵ５０に入力される。制御機ＣＰＵ５０は入力された制御信号Ｓ51をなす端末番号情報とメモリ５１内の端末番号テーブル５１ａとを照合し、「２０３」号室の住戸内で水漏れが発生したことを検出するとともに、入力された制御信号Ｓ51を通信I/F５４から幹線Ｌ2をなす制御伝送ラインＬ2aを介して管理室親機２に伝送させる。管理室親機２の管理室ＣＰＵ４０は、通信I/F４５を介して入力され制御信号Ｓ51より「２０３」号室の住戸内で水漏れが発生したことを検出し拡声スピーカ４３から警報音を鳴動させるとともに、表示器４４にて水漏れ発生の警報情報と居室番号である「２０３」とをそれぞれ出力表示させる。これを確認した管理人が管理室送受器４２を取り上げ非常応答すると、管理室ＣＰＵ４０がこれを検出し拡声スピーカ４３から鳴動される警報音を停止させ通話回路４１を能動にするとともに非常応答信号Ｓ52を出力する。この非常応答信号Ｓ52は上述の呼出応答信号Ｓ22と同様な経路を介して制御機４の制御機ＣＰＵ５０に入力される。制御機ＣＰＵ５０は入力された非常応答信号Ｓ52から管理室内の管理人による非常応答を検出し通話回路５２を幹線Ｌ2をなす音声制御ラインＬ2bに接続するとともに、入力された警報応答信号Ｓ52を通信I/F５３から幹線Ｌ1をなす制御伝送ラインＬ1aを介して居室機１ａのケア端末１１に伝送させる。ケア端末１１のケアＣＰＵ３０は、通信I/F３８を介して入力された非常応答信号Ｓ52より管理室内の管理人による非常応答を検出し拡声スピーカ３４から鳴動される警報音を停止させるとともに通話回路３１を能動にする。これにより、居室機１ａをなすケア端末１１の天井スピーカ３２及び天井マイク３３と、通話回路３１、幹線Ｌ1をなす音声伝送ラインＬ1b、制御機４の通話回路５２、幹線Ｌ2をなす音声伝送ラインＬ2b、管理室親機２の通話回路４１を介して管理室送受器４２間の通話路が形成され通話が成立する。また、「２０３」号室の住戸内の居住者がトイレに入室すると、居室機１ａをなすケア端末１１のケアセンサ３５のうち静止センサ３５ｂが作動開始し、ケアＣＰＵ３０にて計時される所定の時間内において居住者が退室しないと、ケアＣＰＵ３０が非常事態を検出し、上述の水量センサ３５ａの作動時と同様な制御により管理室内の管理人に非常事態が報知される。
【００２４】
尚、上記実施例では、居室機１ａをなすインターホン端末１０、ケア端末１１の各設定器２５、３６をハード的に異なる回路のビットスイッチで構成するために、ケア端末設定器３６をなす上桁設定部ＳＷ51の最上位であるスイッチＳＷ64の両端間を短絡（ショート）し常時オンさせたが、当該スイッチをケース等で嵌合させる、当該スイッチを削除し回路的に短絡（ショート）させる、または、下桁設定部ＳＷ52の最上位であるスイッチＳＷ74を常時オンさせても上記実施例と同様な効果を奏する。また、各設定器２５、３６をなす上桁設定部ＳＷ1、ＳＷ51及び下桁設定部ＳＷ2、ＳＷ52は、４つのスイッチによりそれぞれ構成させたがこの数は限定されず、各設定器はロータリースイッチ等を用いても上記実施例と同様な効果を奏する。更に、上記実施例では、同一住戸内に設置される居室機をなす端末の数を２台（インターホン端末、ケア端末）の場合について説明したがこれに限定されず、多数の端末が設けられた場合でも単一系統の幹線を介して制御機に接続することができ、上記実施例と同様な効果を奏する。
【発明の効果】
【００２５】
以上の説明から明らかなように、本発明の集合住宅インターホン装置によれば、集合住宅の複数の住戸内に設置される居室機をなすインターホン端末及びケア端末に備えられる各設定器をハード的に異なる回路のビットスイッチで構成し、設定される端末番号の電気的特性に相違を持たせるとともに、制御機に同一住戸内の端末については端末番号は違うが同一住戸として制御する機能を備えることにより、各設定器の同一な操作にて異なる端末番号を設定することができる。これにより、端末番号の設定操作時における誤設定が低減される。
【図面の簡単な説明】
【図１】  本発明による集合住宅インターホン装置の一実施例の構成を示すブロック図。
【図２】  図１のインターホン端末設定器及びケア端末設定器の初期設定状態を示す（ａ）模式図、（ｂ）インターホン端末設定器の回路図、（ｃ）ケア端末設定器の回路図。
【図３】  図１のインターホン端末設定器及びケア端末設定器の設定操作時を示す（ａ）模式図、（ｂ）インターホン端末設定器の回路図、（ｃ）ケア端末設定器の回路図。
【図４】  図１の制御機のメモリ内の端末番号テーブルを示す模式図。
【図５】  従来の集合住宅インターホン装置の構成を示すブロック図。
【図６】  図５の各設定器の初期設定状態を示す（ａ）模式図、（ｂ）回路図。
【符号の説明】
１ａ、１ｂ、‥‥、‥‥‥複数の居室機
２‥‥‥管理室親機
３‥‥‥集合玄関機
４‥‥‥制御機
１０‥‥‥インターホン端末
１１‥‥‥ケア端末
２２‥‥‥端末送受器
２４‥‥‥セキュリティセンサ
２５‥‥‥インターホン端末設定器
３２‥‥‥天井スピーカ
３３‥‥‥天井マイク
３５‥‥‥ケアセンサ
３６‥‥‥ケア端末設定器
４２‥‥‥管理室送受器
５０‥‥‥制御回路（制御機ＣＰＵ）
５１‥‥‥メモリ
５１ａ‥‥‥端末番号テーブル
【図１】
0003886274.tif 000002
【図２】
0003886274.tif 000003
【図３】
0003886274.tif 000004
【図４】
0003886274.tif 000005
【図５】
0003886274.tif 000006
【図６】
0003886274.tif 000007